(57)【要約】【課題】  使い勝手が良く、疲れにくいパームレストと、それを用いたマウスを提供する。【解決手段】  パームレスト１０は、断面ほぼコ字状をなし、板状の台部１１と、この台部１１の後端から立ち上がる立ち上がり部１２と、この立ち上がり部１２の上端から台部１１の方向へ所定の仰角で上方向に傾斜して延びる手のひら載置部１３とで構成されている。台部１１の底面には、滑部１４が突設されている。手のひら載置部１３の上面には、弾性部材１５が被着されている。台部１１には、マウス１の移動方向及び移動量を検出する移動検出部２０が取り付けられている。手のひら載置部１３の先端側下部には、ポインティング操作用のスイッチ部３０が取り付けられている。【選択図】  図１
2006059142.tif 000002
【特許請求の範囲】
【請求項１】
所定の高さに載置されたキーボードの底部空間内に挿入される板状の台部と、
前記台部の後端から立ち上がり、前記キーボードの高さよりも高い立ち上がり部と、
前記立ち上がり部の上端から前記台部の方向へ所定の仰角で上方向に傾斜して延びる手のひら載置部と、
前記台部の底面に突設された滑部と、
を有することを特徴とするパームレスト。
【請求項２】
請求項１記載のパームレストにおいて、
前記手のひら載置部は、前記立ち上がり部の上端から前記台部の方向へ所定の長さだけ水平に延び、その先端部が所定の仰角で上方向に傾斜して延びた形状であることを特徴とするパームレスト。
【請求項３】
請求項１又は２記載のパームレストにおいて、
前記手のひら載置部の上面に弾性部材を被着したことを特徴とするパームレスト。
【請求項４】
請求項１〜３のいずれか１項に記載のパームレストと、
前記台部に取り付けられ、Ｘ軸座標及びＹ軸座標により表される二次元平面上における前記台部の移動方向及び移動量を検出してＸ軸座標信号及びＹ軸座標信号を出力する移動検出部と、
前記手のひら載置部の先端側下部に取り付けられ、且つ、前記移動検出部に電気的に接続され、前記手のひら載置部に載置された手の指により操作される複数のスイッチを有するスイッチ部と、
を備えたことを特徴とするマウス。
【請求項５】
請求項４記載のマウスにおいて、
前記移動検出部は、前記台部に対して着脱自在に装着する構成にしたことを特徴とするマウス。
【請求項６】
請求項４記載のマウスにおいて、
前記スイッチ部は、前記手のひら載置部に対して着脱自在に装着する構成にしたことを特徴とするマウス。
【発明の詳細な説明】
【技術分野】
【０００１】
本発明は、キーボード操作時における手の疲れを軽減するために、手を載せてキーボードを操作するためのパームレストと、それを用いた機械式、光学式、タブレット式等のマウスに関するものである。
【背景技術】
【０００２】
従来、パーソナルコンピュータ（以下、「パソコン」という。）等のキーボード操作時における手の疲れを軽減するために手を載せてキーボードを操作するためのパームレスや、パソコン等の入力機器である機械式、光学式等のマウスが種々提案されている。
【０００３】
【特許文献１】特開平１０−１０５３１５号公報
【特許文献２】特開平１０−３３３８０３号公報
【特許文献３】特開２００１−１４２６１１号公報
【特許文献４】特許第３５４８７１３号公報
【０００４】
特許文献１には、キーボード用可動式パームレストに関する技術が記載されている。このキーボード用可動式パームレストでは、キーボードの手前に、このキーボードと平行に設置されるレールを有し、このレール上に、左手のひら載置用の左手載置台と右手のひら載置用の右手載置台とが左右にスライド（摺動）自在に取り付けられている。左手載置台及び右手載置台の上部には、それぞれレールに対して直交する方向に回転するローラが取り付けられ、載置された左右の手のひらを前後に移動できるようになっている。又、右手載置台には、この右手載置台の左右の移動量及びローラの前後の回転量を検出する検出部と、入力用のスイッチ部が搭載されている。そして、左手載置台と右手載置台に左右の手を載せ、レール上を左右に移動しつつ、且つローラによって前後に移動しつつ、キーボードのキー入力が可能で、更に、右手のひらを右手載置台に載せたままスイッチ部によりポインティング操作が行えるようになっている。
【０００５】
特許文献２は、パームレスト付きキーボードの技術が記載されている。このパームレスト付きキーボードでは、パームレストを左手用と右手用の２個設け、パームレストを左右にレールによりスライドさせるスライド手段と、キーボード内部にパームレストを収納させる空間を設けパームレストを前後にレールによりスライドさせる手段とを備えている。そして、パームレストを前後左右にスライドさせる手段により、使用者は、パームレストに手を載せたままパームレストをスライドさせることで、前後左右に離れたキーを交互に操作することができる。
【０００６】
特許文献３には、キー操作練習用パームレストの技術が記載されている。このパームレストでは、手のひらの中央付近に当たって手のひらを支える手のひら支持部と、この手のひら支持部に連結され、該手のひら支持部と交差する方向に延びる手首載置部を有する根元部とを備えている。このような構成により、手のひらが囲む空間が手のひら支持部分によって占有されないので、このパームレストを装着した状態のまま、マウス操作をすることができ、さらに、このパームレストは手の支えとなるので、キーボードの操作を長時間行っても疲れにくい。
【０００７】
特許文献４には、光学式マウスの技術が記載されている。この光学式マウスでは、従来の単色光源である赤色発光ダイオードに代えて、フルカラー発光ダイオードを使用し、所望の発光色を選択できるようになっている。
【発明の開示】
【発明が解決しようとする課題】
【０００８】
しかしながら、従来のパームレス等では、次の（ａ）〜（ｄ）のような課題があった。
（ａ）  特許文献１の可動式パームレスでは、左手載置台及び右手載置台がレールに沿って左右に移動し、更に、それらの左手載置台及び右手載置台の上部にそれぞれ設けられたローラにより、載置された手のひらを前後に移動する構造であるため、斜め方向のキーを押下するときには手の円滑な移動が阻害される。しかも、左手載置台及び右手載置台は、キーボードの手前に配置されているので、キーボードの後方側に位置するキーを操作する場合、指が届かずにその都度、指を伸ばしてキー操作をしなければならないので、指が疲れ、操作しづらいという課題があった。
【０００９】
（ｂ）  特許文献２のパームレスト付きキーボードでは、左手用パームレスト及び右手用パームレストがレールにより左右方向及び前後方向に移動する構造であるため、特許文献１と同様に、斜め方向のキーを押下するときには手の円滑な移動が阻害される。しかも、左手用パームレスト及び右手用パームレストは、キーボードの手前に配置されているので、特許文献１と同様に、キーボードの後方側に位置するキーを操作するときには、指が疲れ、操作しづらいという課題があった。
【００１０】
（ｃ）  特許文献３のキー操作練習用パームレストでは、ポインティング操作を行うときには、横に置いてあるマウスに手を移動し、このマウスを手で握って前後左右に移動してポインティング操作を行う必要があるため、不利不便であった。
【００１１】
（ｄ）  特許文献４の光学式マウスでは、キーボード操作時に手のひらを支えるものがないので、手が疲れるといる課題があった。
【００１２】
本発明は、このような従来の課題を解決し、使い勝手が良く、疲れにくいパームレストと、それを用いた機械式、光学式、タブレット式等のマウスを提供することを目的とする。
【課題を解決するための手段】
【００１３】
前記課題を解決するために、本発明のパームレストでは、所定の高さに載置されたキーボードの底部空間内に挿入される板状の台部と、前記台部の後端から立ち上がり、前記キーボードの高さよりも高い立ち上がり部と、前記立ち上がり部の上端から前記台部の方向へ所定の仰角で上方向に傾斜して延びる手のひら載置部と、前記台部の底面に突設された滑部とを有している。
【００１４】
又、本発明のマウスでは、前記パームレストと、前記台部に取り付けられ、Ｘ軸座標及びＹ軸座標により表される二次元平面上における前記台部の移動方向及び移動量を検出してＸ軸座標信号及びＹ軸座標信号を出力する移動検出部と、前記手のひら載置部の先端側下部に取り付けられ、且つ、前記移動検出部に電気的に接続され、前記手のひら載置部に載置された手の指により操作される複数のスイッチを有するスイッチ部とを備えている。
【発明の効果】
【００１５】
請求項１に係る発明によれば、パームレストが、断面ほぼコ字状をなし、台部がキーボードの底面空間内に挿入可能な構造になっているので、平面上を任意の方向に滑って移動でき、キーボードの後方側に位置するキーを押下する場合でも、容易に指が届いて簡単に操作でき、使い勝手が良い。その上、手のひら載置部上に手のひらを載せて指でキーを押下する構造であるため、キーボードの操作を長時間行っても疲れに難い。特に、手のひら載置部の先端側が所定の仰角で立ち上がっているので、手のひらが、手のひら載置部にフィットしてパームレストの移動や、キー操作がし易い。
【００１６】
請求項２に係る発明によれば、手のひら載置部に水平部分が設けられているので、この水平部分に肉厚の手首部分を載置でき、手の疲労をより軽減できる。
【００１７】
請求項３に係る発明によれば、手のひら載置部の上面に弾性部材が被着されているので、手のひらにフィットしてパームレストを使い易くなり、手の疲労もより少なくなる。
【００１８】
請求項４に係る発明によれば、手のひら載置部の先端側下部にスイッチ部が取り付けられているので、キーボードのキー操作とポインティング操作を連続的に行え、使い勝手が良く、手も疲れ難い。
【００１９】
請求項５に係る発明によれば、移動検出部が着脱自在の構成になっているので、パームレストを用いたマウスの組み立てが簡単であり、しかも、パームレストとマウスとの相互変換も容易に行える。
【００２０】
請求項６に係る発明によれば、スイッチ部が着脱自在の構成になっているので、パームレストを用いたマウスの組み立てが簡単になり、パームレストとマウスとの相互変換も容易に行える。その上、左手用と右手用との相互変換が可能になり、使い勝手が更に良くなる。
【発明を実施するための最良の形態】
【００２１】
本発明のパームレストは、断面ほぼコ字状をなし、板状の台部と、前記台部の後端から立ち上がる立ち上がり部と、前記立ち上がり部の上端から前記台部の方向へ所定の仰角で上方向に傾斜して延びる手のひら載置部とで構成され、前記台部の底面に滑部が突設されている。前記手のひら載置部の上面には、弾性部材が被着されている。
【００２２】
又、前記手のひら載置部は、前記立ち上がり部の上端から前記台部の方向へ所定の長さだけ水平に延び、その先端部が所定の仰角で上方向に傾斜して延びた形状にしても良い。
【００２３】
本発明のマウスでは、前記パームレストと、前記台部に取り付けられ、前記台部の移動方向及び移動量を検出してＸ軸座標信号及びＹ軸座標信号を出力する移動検出部と、前記手のひら載置部の先端側下部に取り付けられ、複数のスイッチを有するスイッチ部とを備えている。前記移動検出部は、前記台部に対して固定、又は着脱自在に取り付けられている。前記スイッチ部は、前記手のひら載置部に対して固定、又は着脱自在に取り付けられている。
【実施例１】
【００２４】
（構成）
図１（Ａ）〜（Ｄ）は、本発明の実施例１を示す光学式マウスの概略の構成図であり、同図（Ａ）は全体の斜視図、同図（Ｂ）はスイッチ部の概略の正面図、同図（Ｃ）はスイッチ部の概略の断面図、及び同図（Ｄ）は移動検出部の概略の断面図である。
【００２５】
この光学式マウス１は、断面ほぼコ字状をなすパームレスト１０を有している。パームレスト１０は、この底辺に相当する台部１１と、縦方向の立ち上がり部１２と、上辺に相当する手のひら載置部１３とにより構成され、例えば、プラスチック等で形成されている。台部１１は、所定の高さに載置されたキーボードの底部空間内に挿入される板状をなし、この台部１１の後端から立ち上がり部１２が立ち上がっている。立ち上がり部１２の上端は、キーボードの高さよりも高く、この上端から所定の仰角θ（例えば、数十°）で、台部１１の方向へ延びる手のひら載置部１３が延設されている。
【００２６】
台部１１の長手方向のほぼ中央には、先端から後端にかけて移動検出部装着用の開口部１１ａが形成され、この開口部１１ａの内壁面に嵌合用の溝１１ｂが形成されている。台部１１の底面における開口部１１ａの両側には、複数個（例えば、４個）の滑部１４が下方向に突設されている。各滑部１４は、摩擦抵抗の小さな硬質プラスチック等で形成されたほぼ円板状をしており、台部１１の底面に接着剤等で固着されている。又、手のひら載置部１３の上面には、軟質樹脂等で形成されたシート状の弾性部材１５が接着されている。
【００２７】
開口部１１ａには、ユニット化された移動検出部２０が着脱自在に取り付けられている。移動検出部２０は、Ｘ軸座標及びＹ軸座標により表される二次元平面上におけるマウス１の移動方向及び移動量を検出してＸ軸座標信号Ｓ２６ｘ及びＹ軸座標信号Ｓ２６ｙを出力するものであり、電子回路部品がケース２１内に収納されている。ケース２１の両側面には、長手方向に延びる嵌合用の突出部２１ａが形成され、この突出部２１ａが開口部１１ａ側の溝１１ｂ内に着脱自在に嵌合されている。
【００２８】
ケース２１内には、開口部２２ａを有するプリント基板２２が螺子等によって取り付けられている。プリント基板２２上には、発光素子駆動用の制御回路２３、机表面等の平面４０を照射するための発光ダイオード（ＬＥＤ）等の発光素子２４、開口部２２ａの箇所に配置され、その発光素子２４から出射された光線を平面４０上に導くためのレンズ部材２５、及びイメージ処理座標変換回路２６が搭載されている。なお、図示しないが、プリント基板２２にはコンデンサ、抵抗、端子盤等の電子回路部品も搭載されている。イメージ処理座標変換回路２６は、平面４０からの反射光を開口部２２ａ及び図示しないレンズを通して受光して電気信号に変換する電荷結合素子（ＣＣＤ）等のイメージセンサ２６ａを有し、このイメージセンサ２６ａの出力信号から反射光の移動方向と移動量に基づいてＸ軸座標信号Ｓ２６ｘ及びＹ軸座標信号Ｓ２６ｙを求める回路である。このＸ軸座標信号Ｓ２６ｘ及びＹ軸座標信号Ｓ２６ｙは、コード２７及び図示しないユニバーサルシリアルバス（以下、「ＵＳＢ」という。）プラグ等を通してパソコン等へ伝送される。
【００２９】
手のひら載置部１３の先端側の底面には、ユニット化されたポインティング操作用のスイッチ部３０が取り付けられている。スイッチ部３０は、立ち上がり部１２の内面に接着したケーブル２８によって、移動検出部２０と電気的に接続されている。スイッチ部３０は、手のひら載置部１３の先端側下部に取り付けられるプラスチック製等のフレーム３１を有している。フレーム３１の前面の中程には、縦方向にスリット（溝）が形成され、このスリットの両側に自己復帰型の選択キー３２とメニュー表示キー３３が設けられ、更に、フレーム３１の左側面にマウス１０をオン／オフ動作するための自己復帰型の動作キー３４が設けられている。選択キー３２とメニュー表示キー３３との間のスリットには、回転自在にスクロールホイール３５が取り付けられている。これらの選択キー３２、メニュー表示キー３３、及び動作キー３２は、弾性部材１５上に載置される手の指により押下されてオン／オフ操作され、更に、スクロールホイール３５は、指により回転されると共に、指により押下されてオン／オフ操作される。
【００３０】
フレーム３１内には、選択キー３２により押下されてオン／オフ動作する自己復帰型の選択スイッチ３２ａ、メニュー表示キー３３により押下されてオン／オフ動作する自己復帰型のメニュー表示スイッチ３３ａ、動作キー３４により押下されてオン／オフ動作する自己保持型の動作スイッチ３４ａ、及び自己復帰型のスクロールスイッチ３５ａが設けられている。スクロールホイール３５は、駆動軸３６により回転自在に取り付けられ、このスクロールホイール３５を押下することにより、駆動軸３６を介してスクロールスイッチ３５ａがオン／オフ動作する。例えば、スクロールホイール３５を押下してスクロールスイッチ３５ａをオン状態にしつつ、マウス１を任意の方向に走査することにより、表示画面を走査方向にスクロールすることができる。駆動軸３６には、スクロールホイール３５に対して１：１の回転比率を有する機械式のエンコーダ３７が取り付けられている。スクロールホイール３５を回転すると、駆動軸３６を介してエンコーダ３７が回転し、このエンコーダ３７の回転に対応して表示画面が上下方向にスクロールされる。
【００３１】
図２は、図１（Ｂ）〜（Ｄ）の移動検出部２０及びスイッチ部３０の配線及び配置状態を示す概略の構成図である。
【００３２】
例えば、図示しないパソコン等からＵＳＢプラグ等を介して電源電圧ＶＣＣが供給されると、この電源電圧ＶＣＣが抵抗２８及び動作スイッチ３４ａを介して制御回路２３に与えられる。イメージ処理座標変換回路２６には、選択スイッチ３２ａ、メニュー表示スイッチ３３ａ、スクロールスイッチ３５ａ、及びエンコーダ３７が接続され、このイメージ処理座標変換回路２６からＸ軸座標信号Ｓ２６ｘ、及びＹ軸座標信号Ｓ２６ｙが出力され、コード２７へ送出されるようになっている。
【００３３】
（使用例）
図３は、図１のマウス１の使用例を示す概略の斜視図である。
パソコン等に接続したキーボード４１を用いて入力操作を行う場合、例えば、机表面等の平面４０上に支持台４２を置き、この支持台４２上にキーボード４１を載置する。支持台４２は、キーボード４１を所定の高さに支持し、この支持台４２の前面開放箇所によってキーボード４１の底部空間４３を形成する機能を有している。底部空間４３は、パームレスト１０の台部１１を挿入できる高さを有している。
【００３４】
例えば、図１のマウス１を右手で使用する場合、このマウス１に接続されたコード先端のＵＳＢプラグ等をパソコン等に挿入しておき、更に、移動検出部２０及びスイッチ部３０が装着されていない左手用のパームレスト（以下、このパームレストに符号「１０Ａ」を付す。）を用意する。使用者は、平面４０上に置いた右手用マウス１の弾性部材１５上に右手のひらを載せ、同じく、平面４０上に置いた左手用パームレスト１０Ａの弾性部材（１５）上に左手のひらを載せる。両手のひらから延びる指は、各弾性部材１５の先端から突出するので、上下左右自由に動かすことができる。しかも、各パームレスト１０，１０Ａの台部１１の底面に設けられた滑部１４が平面４０上を滑って、該台部１１がキーボード４１の底面空間４３内を自由に移動できるので、キーボード４１の後方側に位置するキーも容易に押下することができる。
【００３５】
ポインティング操作を行うには、右手の親指でマウス１の左側の動作キー３４を押下して動作スイッチ３４ａをオン状態にする。すると、電源電圧ＶＣＣが抵抗２８、及び動作スイッチ３４ａを介して制御回路２３に供給され、この制御回路２３により発光素子２４が駆動されて発光し、この光線がレンズ部材２５に導かれて平面４０に照射される。照射された平面４０の像は、レンズを通してイメージセンサ２６ａに結像する。マウス１を平面４０上において所望の方向に移動させると、移動中の平面４０の像が順次イメージセンサ２６ａに結像する。イメージ処理座標変換回路２６では、イメージセンサ２６ａに結像された結像パターンにおける直前のパターンと現在のパターンとを比較し、結像パターンの移動方向及び移動量を高速で演算処理し、この演算処理結果に基づきＸ軸座標信号Ｓ２６ｘ及びＹ軸座標信号Ｓ２６ｙを発生させ、コード２７及びＵＳＢプラグ等を介してパソコン等へ伝送する。これにより、マウス１の移動方向に対応して、パソコン等の画面上のマウスポインタが所望の方向に移動する。
【００３６】
この際、マウス１の移動幅には制限があるので、従来のマウスでは、マウス自体を持ち上げて元に戻して再び平面４０上を移動させることにより、連続的にＸ軸座標信号Ｓ２６ｘ及びＹ軸座標信号Ｓ２６ｙを発生させている。これに対し、本実施例１のマウス１では、持ち上げ難い構造になっているので、動作キー３４を押下してマウス１を一旦オフ状態にして、元の位置まで滑らせて戻し、再度、動作キー３４を押下してマウス１をオン状態にした後、再び平面４０上を移動させれば、連続的にＸ軸座標信号Ｓ２６ｘ及びＹ軸座標信号Ｓ２６ｙを発生させることができる。
【００３７】
又、必要に応じて右手の指で選択キー３２、メニュー表示キー３３、或いはスクロールホイール３５を操作すれば、選択スイッチ３２ａ、メニュー表示スイッチ３３ａ、エンコーダ３７、或いはスクロールスイッチ３５ａが動作し、所望のポインティング処理が行われる。
【００３８】
（効果）
本実施例１では、次の（ａ）〜（ｅ）のような効果がある。
（ａ）  パームレスト１０は、断面ほぼコ字状をなし、台部１１がキーボード４１の底面空間４３内に挿入可能な構造になっているので、平面４０上を任意の方向に滑って移動でき、キーボード４１の後方側に位置するキーを押下する場合でも、容易に指が届いて簡単に操作でき、使い勝手が良い。
【００３９】
（ｂ）  パームレスト１０の弾性部材１５上に手のひらを載せて指でキーを押下する構造であるため、キーボード４１の操作を長時間行っても疲れに難い。特に、手のひら載置部１３の先端側が所定の仰角θで立ち上がっているので、手のひらが弾性部材１５にフィットしてパームレスト１０の移動や、キー操作がし易い。
【００４０】
（ｃ）  手のひら載置部１３の先端側下部にスイッチ部３０が装着されているので、キー操作とポインティング操作を連続的に行え、使い勝手が良く、手も疲れ難い。
【００４１】
（ｄ）  移動検出部２０は、パームレスト１０の台部１１に対して着脱可能な構造になっているので、パームレスト１０を用いたマウス１の組み立てが簡単であり、しかも、パームレスト１０とマウス１との相互変換も容易に行える。
【００４２】
（ｅ）  手のひら載置部１３の下面側とスイッチ部３０との接合箇所に、嵌合用の凹凸溝等を設け、スイッチ部３０を着脱可能な構造にすれば、パームレスト１０を用いたマウス１の組み立てが簡単になり、パームレスト１０とマウス１との相互変換も容易に行える。その上、左手用と右手用との相互変換が可能になり、使い勝手が更に良くなる。
【実施例２】
【００４３】
図４は、本発明の実施例２を示すパームレストの構成図であり、実施例１を示す図１中の要素と共通の要素には共通の符号が付されている。
【００４４】
このパームレスト１０Ａでは、図１の手のひら載置部１３の親指側に、或いは、手のひら載置部１３及び立ち上がり部１２の親指側に、凹状の切り欠き部１３ａを形成している。その他の構成は、図１のパームレスト１０と同様である。
【００４５】
パームレスト１０Ａに凹状の切り欠き部１３ａを形成すると、弾性部材１５上に載置した手のひらの親指を上下左右に自由に動かし易くなり、使い勝手が更に良くなる。
【実施例３】
【００４６】
図５は、本発明の実施例３を示すパームレストの構成図であり、実施例１を示す図１中の要素と共通の要素には共通の符号が付されている。
【００４７】
このパームレスト１０Ｂでは、図１の手のひら載置部１３を他の形状に変形している。この変形された手のひら載置部１３Ｂでは、立ち上がり部１２の上端から水平に所定の長さだけ延び、そこから一定の仰角θで上方に傾斜した形状になっている。その他の基本構成は、図１のパームレスト１０と同様である。なお、台部１１には開口部１１ａが形成されていないが、パームレストのみの用途のときには開口部１１ａを設ける必要がなく、又、マウスとして使用するときには開口部１１ａを形成しておけば良い。
【００４８】
本実施例３のパームレスト１０Ｂにおける手のひら載置部１３Ｂでは、水平部分が設けられているので、この水平部分に肉厚の手首部分を載置でき、手の疲労をより軽減できる。
【実施例４】
【００４９】
本発明は、上記実施例１〜３に限定されず、種々の変形が可能である。この変形例である実施例４としては、例えば、次の（１）〜（６）のようなものがある。
【００５０】
（１）  パームレスト１０，１０Ａ，１０Ｂの形状は、図示以外の任意の形状に変形できる。例えば、台部１１は、面積を大きくするために円板形等にして安定度を向上させる形状にしても良い。台部１１に開口部１１ａを形成しないで、移動検出部２０を螺子等で台部１１に直接固定する構造にしても良い。又、パームレストのみの用途のときには、開口部１１ａを設ける必要がない。
【００５１】
（２）  台部１１の底面に設けられる滑部１４は、円板形以外に、半円形等の他の突起部形状にしたり、或いは、回転自在のボールを取り付けた構造にしても良い。
【００５２】
（３）  立ち上がり部１２は、断面が湾曲形状にしても良い。
【００５３】
（４）  手のひら載置部１３，１３Ｂ上の弾性部材１５は、必要なければ、省略しても良い。
【００５４】
（５）  パームレスト１０，１０Ａ，１０Ｂに取り付けられる移動検出部２０やスイッチ部３０の構造は、図示以外の構造に変形できる。例えば、光学式の移動検出部２０に代えて、ボール、Ｘ方向ロータリーエンコーダ、Ｙ方向ロータリーエンコーダ、及びコントローラ等で構成される機械式、或いはタブレット式等の移動検出部に置き換えても良い。又、スイッチ部３０の形状、スイッチ３２ａ，３３ａ，３４ａの種類や個数、或いはスクロールホイール３５は、マウスの機能に応じて任意に変更可能である。例えば、動作スイッチ３４ａを２個直列に設け、一方をマウス使用とパームレス使用の切替用スイッチ、他方をマウス使用時のオン／オフ動作切替用スイッチにすれば、スイッチ機能を増加できる。
【００５５】
（６）  支持台４２に代えて、キーボード４１の側部或いは底部に、固定式の支持部又は折り畳み式の支持部を設けて、底部空間４３を形成する構造にすれば、支持台４２を省略できる。
【図面の簡単な説明】
【００５６】
【図１】本発明の実施例１を示すマウスの構成図である。
【図２】図１（Ｂ）〜（Ｄ）の移動検出部及びスイッチ部の配線及び配置状態を示す構成図である。
【図３】図１のマウス１０の使用例を示す概略の斜視図である。
【図４】本発明の実施例２を示すパームレストの斜視図である。
【図５】本発明の実施例３を示すパームレストの斜視図である。
【符号の説明】
【００５７】
１                          マウス
１０，１０Ａ，１０Ｂ        パームレスト
１１                        台部
１２                        立ち上がり部
１３，１３Ｂ                手のひら載置部
１４                        滑部
１５                        弾性部材
２０                        移動検出部
３０                        スイッチ部
【図１】
2006059142.tif 000003
【図２】
2006059142.tif 000004
【図３】
2006059142.tif 000005
【図４】
2006059142.tif 000006
【図５】
2006059142.tif 000007